【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
サーフボードであって、
上面と、前記上面に向かって略伸長する第１の凹部を有する底面とを備える本体であって、サーフボード本体が前記第１の凹部の後方に伸長し続けるような様式で前記第１の凹部が前記底面に位置する、本体と、
少なくとも部分的に前記第１の凹部内に配置されたカセットであって、少なくとも１つの電気モーターと、前記少なくとも１つの電気モーターに電気的に連結された少なくとも１つのバッテリーと、前記少なくとも１つの電気モーターに連結された少なくとも１つのインペラとを備える駆動システムを格納し、給水口および排水口を有するベース面をさらに備え、前記カセットのベース面が前記凹部の周囲のサーフボードの隣接する底面と実質的に一致することにより、それ中に給水口および排水口を有する、滑らかなサーフボード底部を形成するような様式で、前記第１の凹部内に配置される、カセットと
を備えるサーフボード。
【請求項２】
前記駆動システムが、サーフボードを水体に対して少なくとも第１の方向に推進させるように構成されている、請求項１に記載のサーフボード。
【請求項３】
前記インペラがフローハウジング内に位置する、請求項１に記載のサーフボード。
【請求項４】
前記少なくとも１つのインペラが軸の一部分に連結されており、前記軸の別の部分が前記モーターに連結されている、請求項３に記載のサーフボード。
【請求項５】
前記軸がベローズ連結器を介して前記モーターに連結されている、請求項４に記載のサーフボード。
【請求項６】
前記カセットが少なくとも１つのモーター制御器を備える、請求項１に記載のサーフボード。
【請求項７】
前記底面が、前記第１の凹部の後方に伸長する前記サーフボード本体の一部分に配置される第２の凹部をさらに備える、請求項１に記載のサーフボード。
【請求項８】
前記第２の凹部がフィンボックスを備える、請求項７に記載のサーフボード。
【請求項９】
前記フィンボックス内に少なくとも部分的に配置されたフィンをさらに備える、請求項８に記載のサーフボード。
【請求項１０】
前記カセットと前記第１の凹部との間に少なくとも部分的に配置されたインサートをさらに備える、請求項１に記載のサーフボード。
【請求項１１】
前記インサートが前記底面に連結されている、請求項１０に記載のサーフボード。
【請求項１２】
前記インサートが前記底面と結合されている、請求項１１に記載のサーフボード。
【請求項１３】
前記インサートが前記底面に留められている、請求項１１に記載のサーフボード。
【請求項１４】
前記インサートが突起を備える、請求項１０に記載のサーフボード。
【請求項１５】
前記カセットの少なくとも一部分が窪みを備える、請求項１４に記載のサーフボード。
【請求項１６】
前記突起の少なくとも一部分が前記窪み内に少なくとも部分的に受け入れられている、請求項１５に記載のサーフボード。
【請求項１７】
前記カセットが前記インサートに取外し可能に連結されている、請求項１０に記載のサーフボード。
【請求項１８】
前記カセットが前記インサートに留められている、請求項１７に記載のサーフボード。
【請求項１９】
前記カセットが前記インサートに掛け金で留められている、請求項１７に記載のサーフボード。
【請求項２０】
前記インサートが前記カセットの少なくとも一部分を受け入れられるように構成されている受入れ空間を定義する、環形状の構造を含む、請求項１０に記載のサーフボード。
【請求項２１】
前記カセットが、前記サーフボードの曲線部に面する少なくとも１つの排水口を備える、請求項１に記載のサーフボード。
【請求項２２】
前記排水口が少なくとも１つの平坦な側面を備える、請求項２１に記載のサーフボード。
【請求項２３】
前記排水口が２つの平坦な側面を備える、請求項２２に記載のサーフボード。
【請求項２４】
前記カセットが前記カセットのベース面上に配置された充電口を備える、請求項１に記載のサーフボード。
【請求項２５】
上面と、前記上面に向かって略伸長する凹部を有する底面とを有するサーフボード本体を形成する工程であって、前記凹部は、前記凹部の内部および周辺が鋭い角または穴がなく滑らかかつ穏やかな曲線の表面を有して形成され、前記底面は前記凹部の後方に位置したフィンまたはフィンボックスをさらに備える、工程と、
少なくとも１つの電気モーターと、前記少なくとも１つの電気モーターに電気的に連結された少なくとも１つのバッテリーと、前記少なくとも１つの電気モーターに作動可能に連結された少なくとも１つのインペラとを備える駆動システムを格納するカセットを提供する工程と、
前記カセットのベース面が前記凹部の周囲のサーフボードの隣接する底面と実質的に一致することにより滑らかなサーフボード底部を形成するような様式で、前記カセットを少なくとも部分的に前記凹部内に配置する工程と
を含む、サーフボードを製造する方法。
【請求項２６】
前記カセットを前記本体に留める工程をさらに含む、請求項２５に記載の方法。
【請求項２７】
インサートを少なくとも部分的に前記凹部内に配置する工程であって、前記インサートが前記カセットの少なくとも一部分を受け入れられるように構成されている受入れ空間を定義する、工程を含む、請求項２５に記載の方法。
【請求項２８】
パーソナルウォータークラフトキットであって、
上面に向かって略伸長する凹部を備えた底面を備えるパーソナルウォータークラフトと、
前記凹部内に密に嵌合するように構成されたモーター式カセットであって、前記モーター式カセットを前記凹部内で前記パーソナルウォータークラフトに取り付けるための連結機能を有する、モーター式カセットと、
前記凹部内に密に嵌合するように構成された非モーター式カセットであって、前記モーター式カセットと同様の形状を有し、かつ、前記非モーター式カセットを前記凹部内で前記パーソナルウォータークラフトに取り付けるための連結機能をも有する、非モーター式カセットと
を備えるパーソナルウォータークラフトキット。
【請求項２９】
サーフボードであって、
上面に向かって略伸長する凹部を有する底面を備えた本体であって、前記凹部は、前記凹部の内部および周辺が鋭い角または穴がなく滑らかかつ穏やかな曲線の表面を有して形成されている、本体と、
前記凹部内に固定されたインサートであって、前記凹部内で受入れ空間を定義し、かつ、前記受入れ空間内に伸びる少なくとも１つの突起を備えるインサートと、
少なくとも部分的に前記受入れ空間内に受け入れられるように構成されたモーター式カセットであって、前記インサートに対する前記カセットの縦方向、横断方向、および横方向のうちの少なくとも１つの運動を抑制するための、少なくとも１つの突起を受け入れるように構成された少なくとも１つの窪みを備えるカセットと
を備えるサーフボード。
【請求項３０】
前記インサートが、前記カセットが前記受入れ空間内に少なくとも部分的に受け入れられている場合に前記カセットを前記インサートに対して解放可能に固定するように構成された掛け金を備える、請求項２９に記載のサーフボード。
【請求項３１】
前記カセットが開口部を備えており、前記インサートがネジ穴を備えており、前記開口部および前記ネジ穴が、前記カセットが前記受入れ空間内に少なくとも部分的に受け入れられている場合に同軸上に配置されている、請求項２９に記載のサーフボード。
【請求項３２】
前記インサートが環形状である、請求項２９に記載のサーフボード。
【請求項３３】
前記カセットおよび前記受入れ空間が、前記インサートに対する前記カセットの縦方向、横断方向、および横方向のうちの少なくとも１つの運動を抑制するために補完的な形状である、請求項２９に記載のサーフボード。